(57)【要約】【課題】光フィルタ機能を持たせたファンアウト光コードを能率的に作製できるようにする。【解決手段】テープ固定台２５の凹所２８に光ファイバテープ８を固定する。テープ固定台２５に、光ファイバテープ８を切断して横切るようにフィルタ挿入溝２５ａを形成する。このフィルタ挿入溝２５ａに光フィルタ１３を挿入し接着固定して光フィルタ構造２２を構成する。１枚の光フィルタ１３を取り付けるだけで複数の光ファイバに光フィルタ機能を持たせることができる。個々の光コネクタに光フィルタを設ける従来のファンアウト光コードと比較して、極めて能率的に作製することができ、コストを安くすることができる。【選択図】      図２
2004245970.tif 000002
【特許請求の範囲】
【請求項１】
一本の光ファイバテープの途中において、当該光ファイバテープを分断する態様で前記光ファイバテープを構成する全ての光ファイバに光フィルタを一カ所にて直接挿入し、その前方において前記光ファイバテープを複数の光ファイバに分岐するさせ分岐部を設け、この分岐部にて分岐した各光ファイバにそれぞれ光コネクタを取り付けたことを特徴とするファンアウト光コード。
【請求項２】
テープ固定台に光ファイバテープを固定し、前記テープ固定台に、光ファイバテープを切断して横切るようにフィルタ挿入溝を形成し、このフィルタ挿入溝に光フィルタを挿入し接着固定したことを特徴とする光フィルタ構造。
【請求項３】
光ファイバテープを複数の光ファイバに分岐させ、各光ファイバにそれぞれ光コネクタを取り付けたファンアウト光コードにおいて、
テープ固定台に前記ファンアウト光コードの光ファイバテープ部分を固定し、前記テープ固定台に光ファイバテープを切断して横切るようにフィルタ挿入溝を形成し、このフィルタ挿入溝に光フィルタを挿入し接着固定したことを特徴とするファンアウト光コード。
【発明の詳細な説明】
【０００１】
【発明に属する技術分野】
この発明は、光ファイバテープから分岐させた各光ファイバに光コネクタを取り付けた構造で光フィルタ機能を備えたファンアウト光コード、および、光ファイバテープに挿入する光フィルタ構造に関する。
【０００２】
【従来の技術】
光線路監視システムは、光通信線路における光ファイバの断線や損失、光コネクタ等の接続点の接続状態・故障等を監視するシステムであるが、通常、光通信線路に光パルス試験器（ＯＴＤＲ：Ｏｐｔｉｃａｌ  Ｔｉｍｅ  Ｄｏｍａｉｎ  Ｒｅｆｌｅｃｔｏｍｅｔｅｒ）を接続した構成とされる。この光パルス試験器では、試験光を光通信線路に入射し反射光や後方散乱光を検出することで、光ファイバの損失、接続点の接続状態、故障箇所の特定等を行なうことができる。そして、試験光の波長を通信光と異ならせることで、使用中の光通信線路の監視すなわち活線監視を行なうことができるが、その場合試験光がユーザ側の装置まで透過してしまうとノイズとなるので、試験光のみを遮断する光フィルタを設けることが必要となる。
【０００３】
現在、光線路監視システムを用いる実例として、例えば、図１１のように光通信網の架空光ケーブル１の途中に設けたクロージャ２からユーザ家屋３に光ファイバを引き込む場合、クロージャ２にて局側の１本心線をスプリッタを用いて複数の単心光ファイバに分岐し、図１０にも示すようなファンアウト光コード７を用いることが行われている。このファンアウト光コード７は、光ファイバテープ８を分岐部９で個別の単心光ファイバ１０に分岐させ、ユーザ側の近傍にて各単心光ファイバ１０の先端に単心光コネクタ１１を取り付けた構成のファンアウト光コード７が用いられている。
成であり、ファンアウト光コード７の光ファイバテープ８を、光ケーブル１から分岐させた光ファイバテープ６に融着接続して用いる。融着接続部を１２で示す。
【０００４】
この場合、前述の通り、光パルス試験器からの試験光がユーザ側の装置まで透過しないための光フィルタを設ける必要があるが、従来は、ファンアウト光コード７の前記単心光コネクタ１１に光フィルタ１３を取り付けたコネクタアセンブリ型のものが用いらていたていた。具体的には図１０に示すように、例えば、光コネクタ１１を構成する光フェルール１４に通常、斜めの光フィルタ挿入溝１４ａを研磨工具により形成し、この光フィルタ挿入溝１４ａに光フィルタ１３を挿入し接着固定していた。なお、以上の多層膜型ではなくて別タイプとしてファイバグレーティング型フィルタを用いる場合もある。ところで、
クロージャからユーザまでのように屋外の比較的長い配線ではなく、光配線盤、光配線架、光配線箱、光通信機器、光伝送装置などの筐体内などにおける比較的配線長が短かい場合の線路監視システム用に、この筐体内に導入された局側多心光ファイバテープに光コネクタ付きファンアウトコードを接続して単心分岐し、その先端に成端された光コネクタにコネクタアセンブリ型光フィルタを構成する場合がある。
【０００５】
【発明が解決しようとする課題】
上記の従来のファンアウト光コード７を作製する場合、各光コネクタ１１に個々に光フィルタを取り付ける作業工程が必要になるが、例えば、周知の誘電多層膜型光フィルタを例に挙げると、まず、光フェルールに光軸を横切る斜めの光フィルタ挿入溝１４ａを機械加工により形成し、その光フィルタ挿入溝１４ａにそれぞれ光フィルタ１３を挿入し、１軸あるいは／または２軸方向の光軸に対して所定の角度になるように微調整を行った後に接着固定するという作業が必要となる。さらに仕様によっては光学特性をモニタしながら上記微調整を行う場合もありが、各光コネクタ１１毎に光フィルタ１３を設けるという作業がは非常に非能率的で工数を要し、コストも高くなるという問題がある。
【０００６】
また、上記の光フィルタ入りの光コネクタ１１は、図１０では光フェルール１４の部分のみを示したが、実際には光フェルール１４を光コネクタハウジングに収容するので、光フィルタ１３を入れたことでハウジングの形状が多少大型化、異形化し勝ちである。これを、ＪＩＳに規定されている一般的なものと同形状に小さく収めるためには、光フィルタ１３の占める容積を十分小さくするための工夫が必要で、必ずしも簡単ではない。一方、ファイバグレーティング型の光フィルタを用いる場合には光フィルタが光フェルール内部に収まってしまうが、このタイプの光フィルタは側圧、温度に対して特性が変化しやすいため接着条件の管理や取り扱い等が難しく、結果として、膜型フィルタと同様に作業工程が複雑となり製品コストが上昇するという問題がある。
【０００７】
本発明は上記従来の欠点を解消するためになされたもので、個々の光コネクタにフィルタ機能を付することなく、光ファイバテープに簡単に光フィルタ機能を持たせることが可能なファンアウト光コードおよび光フィルタ構造を提供することを目的とする。
【０００８】
【課題を解決するための手段】
上記課題を解決する請求項１の発明のファンアウト光コードは、一本の光ファイバテープの途中において、前記光ファイバテープを構成する全ての光ファイバに光フィルタを一カ所にて直接挿入し、その前方において前記光ファイバテープを複数の光ファイバに分岐する分岐部を設け、この分岐部にて分岐した各光ファイバにそれぞれ光コネクタを取り付けたことを特徴とする光ファイバテープの途中に当該光ファイバテープを分断する態様で光フィルタを直接挿入し、その前方において光ファイバテープを複数の光ファイバに分岐させ、分岐した各光ファイバにそれぞれ光コネクタを取り付けたことを特徴とする。
【０００９】
請求項２の発明の光フィルタ構造は、テープ固定台に光ファイバテープを固定し、前記テープ固定台に、光ファイバテープを切断して横切るようにフィルタ挿入溝を形成し、このフィルタ挿入溝に光フィルタを挿入し接着固定したことを特徴とする。
【００１０】
請求項３の発明のファンアウト光コードは、光ファイバテープを複数の光ファイバに分岐させ、各光ファイバにそれぞれ光コネクタを取り付けたファンアウト光コードにおいて、
テープ固定台に前記ファンアウト光コードの光ファイバテープ部分を固定し、前記テープ固定台に光ファイバテープを切断して横切るようにフィルタ挿入溝を形成し、このフィルタ挿入溝に光フィルタを挿入し接着固定したことを特徴とする。
【００１１】
【発明の実施の形態】
図１に本発明の一実施形態のファンアウト光コード２１を示す。図示のように、本発明のファンアウト光コード２１は、１本の光ファイバテープ８の途中に当該光ファイバテープ８の全ての光ファイバを分断する態様で光フィルタ２２を直接挿入し、その先端側であり光コネクタ側（以下、本件では前方という場合がある）において光ファイバテープ８を複数の単心の光ファイバ１０に複数本分岐させ、分岐した各光ファイバ１０にそれぞれ光コネクタ２３を取り付けたいわゆるインライン型の構造である。
前記ファンアウト光コード２１の詳細な実施形態を説明すると、図２（イ）は図１のファンアウト光コード２１における光フィルタ構造２２の部分の縦断面図、図２（ロ）は蓋を除いた平面図である。図３は図２（ロ）のＡ−Ａ拡大断面図である。これらの図に示すように、このファンアウト光コード２１は、例えば４心の光ファイバテープ８を分岐部９にて個々の単心光ファイバ１０に分岐させ、各単心光ファイバ１０にそれぞれ単心光コネクタ２３を取り付けた構成であり、そして、前述の通り、光ファイバテープ８の途中に、当該光ファイバテープ８を分断する態様で光フィルタを直接挿入してなる光フィルタ構造２２を備えている。図示の光ファイバテープ８は、図３に示すように、裸ファイバ８ａの外周にＵＶ樹脂被覆を施してなるＵＶ素線８ｂを４本並べて被覆８ｃで覆った構造である。なお、前記単心光ファイバ１０は、各ＵＶ素線８ｂに被覆を設けてコード化した単心光ファイバコードである。
なお、この実施形態は光ファイバテープ８からすべて単心光ファイバ１０に分岐する場合であるが、分岐の態様としては、そのような場合に限らず、単心光ファイバと多心光ファイバとが混在する態様で分岐する場合、あるいは少ない心数の複数の多心光ファイバに分岐する場合にも適用できる。
【００１２】
前記光フィルタ構造２２は、光ファイバテープ８を収容するためのテープ長手方向に伸びる凹所２８を形成したテープ固定台２５を備えている。テープ固定台２５の材質は任意であるが、例えばジルコニア等のセラミックを用いることができる。
このテープ固定台２５の凹所２８にファンアウト光コード２１の光ファイバテープ８部分が接着剤２６で固定されている。このテープ固定台２５に、光ファイバテープ８を斜めに切断して横切るようにフィルタ挿入溝２５ａが形成され、このフィルタ挿入溝２５ａに光フィルタ１３が挿入され接着固定されている。２７は蓋である。図示例の光フィルタ１３は、石英ガラス等の基板にシリカ（ＳｉＯ２）やチタニア（ＴｉＯ２）等の薄い膜を多数層に渡って形成した誘電体多層膜フィルタである。なお、図２（ロ）では蓋２７および接着剤２６を省略した。
【００１３】
上記の光フィルタ構造２２を作製する要領の一例を説明すると、ファンアウト光コード２１の光ファイバテープ８の適宜部分をテープ固定台２５の凹所２８に収容し、例えば両端近傍のみを接着剤２６で固定する（図４の状態）。次いで、テープ固定台２５に、光ファイバテープ８を斜めに切断して横切るようにフィルタ挿入溝２５ａを研磨工具により形成する（図５の状態）。次いで、このフィルタ挿入溝２５ａ内に接着剤を充填した後光フィルタ１３を挿入するか、あるいは光フィルタ１３を挿入した後フィルタ挿入溝２５ａ内の光フィルタ１３との隙間に接着剤を充填する等により、光フィルタ１３をフィルタ挿入溝２５ａに接着固定する。次いで、テープ固定台２５の凹所２８の全体に接着剤２６を充填して、光フィルタ１３および光ファイバテープ８をテープ固定台２５に固定し、蓋２７を被せ接着剤で固定すると、図２に示したような光フィルタ構造２２が得られる。なお、光フィルタ１３をフィルタ挿入溝２５ａに固定する接着剤には、光ファイバのコアの屈折率に極力近い屈折率を持つものを選択する。
【００１４】
上記のように光ファイバテープ８部分に光フィルタ構造２２を作製し、さらに前方の光ファイバテープ８の途中から単心光ファイバ切り分けて多心から単心へ分岐したたファンアウト光コード２１を製作する。単心分岐する部分は、被覆が切り分けられて弱くなっているので、通常、被覆を補強することによる大径の分岐部をなす。このファンアウト光コード８は、は、例えば、図９のように、光通信網の架空光ケーブル１の途中に設けたクロージャ２からユーザ家屋３に光ファイバを引き込む際のファンアウト光コードとして用いることができる。光配線盤、光配線架、光通信装置のようなモジュール内、架内、筐体内の比較的配線距離が短い配線形態において好適に使用でき、この場合、ファンアウト光コード２１の光ファイバテープ８の後方側の端部（前方に対して）はを、光ケーブル１から分岐するさせた光ファイバテープ６とに融着接続する場合があるして用いる。融着接続部を１２で示す。
【００１５】
光フィルタ構造２２の作製には、上述の通り、フィルタ挿入溝２５ａに１枚の光フィルタ１３を挿入し接着固定することで、複数本（図示例では４本）の単心光ファイバ１０に光フィルタ機能を持たせることができるので、従来の個々の光コネクタ１１に光フィルタ１３を取り付ける方法と比較して著しく能率的でありコストを安くできる。
また、図９に示す通り、光フィルタ構造２２がクロージャ２内に収まり、それより下流については、光フィルタを考慮する必要がない。すなわち、ファンアウト光コード２１に用いる光コネクタ２３は通常の規格化された光コネクタでよく光フィルタを設ける必要がないので、従来の光フィルタ入り光コネクタと異なり、コネクタを収容するハウジングアダプタ等の形状との合致を図るために光フィルタの占める容積を十分小さくすることで苦労する問題も生じない。
【００１６】
上記の実施形態では、光ファイバテープ８のまま凹所２８に収容し、光ファイバテープ８に直接切り込みを入れる形でテープ固定台２５に光フィルタ挿入溝２５ａを形成したが、図６、図７に示すように、光ファイバテープ８の被覆を除去し、露出させた４本のＵＶ素線（０．２５ｍｍ径）８ｂを凹所２８に収容して、並んだＵＶ素線８ｂに切り込みを入れる形で、テープ固定台２５に光フィルタ挿入溝２５ａを形成してもよい。この場合、光ファイバテープ８の露出させた４本のＵＶ素線８ｂを並べる浅く狭い凹所２８ｂと、その両側の被覆８ｃ部分を収容する深く広い凹所２８ａを形成するとよい。
この場合は、光ファイバテープ８の４本のＵＶ素線８ｂを斜めに切断して横切るようにフィルタ挿入溝２５ａを研磨工具により形成し、このフィルタ挿入溝２５ａに光フィルタ１３を挿入し接着固定する。
【００１７】
また、さらに、図８に示すように、ＵＶ素線８ｂの被覆を除去して露出させた裸ファイバ８ａをＶ溝２５ｂに収容して、この４本の裸ファイバ８ａの部分でテープ固定台２５に凹所２８を形成し、光フィルタ１３を接着固定することもできる。
【００１８】
本発明は、上述の実施形態のように、光ファイバテープの途中に当該光ファイバテープを分断する態様で光フィルタを直接挿入するものであるが、挿入する光フィルタとしては、図示例示した例の誘電体多層膜フィルタに限らず、種々のタイプの光フィルタを採用できる。例えば、導波路型フィルタ、ファイバグレーティング型フィルタ、光ファイバ型フィルタ等の光フィルタを用いることができる。
前記導波路型フィルタとは、光合波回路を構成した石英基板上に導波路パターンで形成したフィルタであり、方向性結合型、リング共振器型、あるいは周知のマッハツェンダ干渉計型の合波器、分波器で構成したマッハツェンダ型フィルタがある。マッハツェンダ型フィルタでは、阻止域波長のリターンロスを高めることにより光線路監視用の光フィルタを構成することができる。この光フィルタを光カプラ型のフィルタと言う場合もある。
前記ファイバグレーティング型フィルタは、周知のようにコアにＵＶ（紫外線）を照射し屈折率に周期構造を与えることにより、特定波長域を反射させるようにした光ファイバ型のフィルタでありものであり、現在、コネクタアセンブリ型えは、このタイプの光フィルタが誘電体多層膜フィルタの代わりとして用いられていることが多い。さらに、
前記光ファイバ型フィルタとは、複数本の光ファイバを融着延伸した光ファイバカプラを用いた光ファイバ型の光フィルタもある。るものである。
以上の各種光フィルタは、例えば基板型の光フィルタの場合には、導波路のコアと前後の光ファイバを接着するか、あるいは、導波路に既にピグテールファイバが付いている素子を用いる場合には、前後の光ファイバとピグテールファイバを接続する。
また、光ファイバ型フィルタを用いる場合にも、同様の構成とすることができる。いずれの形態の光フィルタを用いるとしても、個々の光フェルールを加工して光フィルタを挿入する工程と比較し、一カ所での一括作業で済むから作業効率が向上し、光フィルタを収納保護する補強ケースも一個で済むから製品コストの低廉化と省スペース化を実現することができる。
なお、本発明のファンアウト光コードは、実施形態のように架空光ケーブルの途中に設けたクロージャから光ファイバをユーザ家屋に引き落とす場合のファンアウト光コードとして用いて好適であるが、その場合に限定されない。例えば光機器内部の光配線として、その他、ファンアウト光コードで光フィルタ機能が求められる種々の場合に適用できる。
【００１９】
本発明の光フィルタ構造は、実施形態のようにファンアウト光コードとして適用する場合に好適であるが、必ずしもその場合に限定されない。
光フィルタを用いる態様には、光ファイバに光コネクタと取り付けた場合における光コネクタの内側に光フィルタを挿入するコネクタアセンブリ型と、光ファイバの途中に光フィルタを挿入するインライン型とがある。上述の実施形態はコネクタアセンブリ型であるが、このコネクタアセンブリ型の場合でも、光ファイバテープに単に多心光コネクタを取り付けた場合における多心光コネクタの内側に光フィルタを挿入する場合にも適用することができる。また、単なる光ファイバテープの途中に光フィルタを挿入する場合（すなわちインライン型の場合）にも適用することができる。要するに、光ファイバテープに光フィルタ機能を持たせることに利益がある種々の場合に適用できる。
【００２０】
【発明の効果】
本発明のファンアウト光コードによれば、一本の光ファイバテープの途中に当該光ファイバテープを分断する態様で光フィルタを直接挿入し、その前方において分岐部を設け、分岐部において光ファイバテープを複数の光ファイバに分岐し、させ、この分岐した各光ファイバにそれぞれ光コネクタを取り付けた構造を有するので、従来のファンアウト光コードのように個々の光コネクタに光フィルタを設ける構造と比較して、光フィルタ機能を備えたファンアウト光コードを極めて簡単かつ能率的に作製することができ、コストを安くするできる。
また、ファンアウト光コードの光コネクタは規格化された通常の光コネクタでよく光フィルタを設ける必要がないので、従来の光フィルタ入り光コネクタと異なり、規格化されたアダプタ等光コネクタハウジングとの形状との合致を図るために光フィルタの占める容積を十分小さくすることで苦労する問題も生じない。
【００２１】
請求項２の光フィルタ構造によれば、テープ固定台に光ファイバテープを固定し、前記テープ固定台に、光ファイバテープを切断して横切るようにフィルタ挿入溝を形成し、このフィルタ挿入溝に光フィルタを挿入し接着固定して光フィルタ構造を構成したので、従来のように個々に光フィルタを設ける構造と比較して、複数の光フィルタを極めて能率的に作製することができ、コストを安くするできる。
【図面の簡単な説明】
【図１】本発明の一実施形態のファンアウト光コードを示す平面図である。
【図２】図１における光フィルタ構造部分の詳細を拡大して示すもので、（イ）は縦断面図、（ロ）は平面図である。
【図３】図２（ロ）のＡ−Ａ拡大断面図である。
【図４】図１、図２の光フィルタ構造部分を作製する要領を説明する図で、（イ）は縦断面図、（ロ）は平面図である。
【図５】図１、図２の光フィルタ構造部分を作製する要領を説明する図であり、図２に続く段階の縦断面図である。
【図６】本発明の光フィルタ構造の他の実施形態を示すもので、（イ）は縦断面図、（ロ）は平面図である。
【図７】図６（ロ）のＢ−Ｂ拡大断面図である。
【図８】本発明の光フィルタ構造のさらに他の実施形態を示す横断面図（図７に対応する図）である。
【図９】従来のファンアウト光コードを説明する図である。
【図１０】図９における光コネクタの光フィルタ入りフェルールを説明する縦断面図である。
【図１１】図９のファンアウト光コードを使用する箇所の一例を説明する図である。
【符号の説明】
６  （光ケーブルから分岐する）光ファイバテープ
８  （ファンアウト光コードの）光ファイバテープ
８ａ  裸ファイバ
８ｂ  ＵＶ素線
８ｃ  被覆
９  分岐部
１０  単心光ファイバ（単心光ファイバコード）
１２  融着接続部
１３  光フィルタ
２１  ファンアウト光コード
２２  光フィルタ構造
２３  光コネクタ
２５  テープ固定台
２５ａ  フィルタ挿入溝
２６  接着剤
２７  蓋
２８  凹所
【図１】
2004245970.tif 000003
【図２】
2004245970.tif 000004
【図３】
2004245970.tif 000005
【図４】
2004245970.tif 000006
【図５】
2004245970.tif 000007
【図６】
2004245970.tif 000008
【図７】
2004245970.tif 000009
【図８】
2004245970.tif 000010
【図９】
2004245970.tif 000011
【図１０】
2004245970.tif 000012
【図１１】
2004245970.tif 000013